(57)【要約】【課題】  陶器製の便器本体の寸法のばらつきがあってもカバーと便器本体との間に生じる隙間を目立ちにくくするとともに、カバーの破損の発生を抑制することが可能な大便器を提供する。【解決手段】  便器本体と、便器本体の側部に形成される凹部と、凹部を覆うカバーと、を備え、凹部には、便器本体の側面から便器本体の内側且つ凹部の中心側へ向けて延びる傾斜面と、傾斜面の内側端から内側へ延びる周形成面と、が形成され、カバーは、カバーの内側面とカバーの外側面との間をつなぎ傾斜面及び周形成面に対向する対向端面を有し、対向端面の外側端から傾斜面へ向けて突出する突出部を有する大便器。【選択図】  図２
2018053548.tif 000002
【特許請求の範囲】
【請求項１】
便器本体と、
前記便器本体の側部に形成される凹部と、
前記凹部を覆うカバーと、を備え、
前記凹部には、前記便器本体の側面から前記便器本体の内側且つ前記凹部の中心側へ向けて延びる傾斜面と、前記傾斜面の内側端から内側へ延びる周形成面と、が形成され、
前記カバーは、前記カバーの内側面と前記カバーの外側面との間をつなぎ前記傾斜面及び前記周形成面に対向する対向端面を有し、
前記対向端面の外側端から前記傾斜面へ向けて突出する突出部を有する大便器。
【請求項２】
前記傾斜面は曲面であり、前記突出部は、前記傾斜面が延びる方向に沿う方向の断面が、前記傾斜面に沿う曲面を形成する請求項１に記載の大便器。
【請求項３】
前記対向端面は、前記対向端面の前記突出部より内側の面にて前記周形成面と当接し、前記突出部は前記傾斜面との間に隙間を形成する請求項１又は２に記載の大便器。
【請求項４】
便器本体と、
前記便器本体の側部に形成される凹部と、
前記凹部を覆うカバーと、を備え、
前記カバーには、前記カバーの外側面から前記カバーの内側且つ前記カバーの中心側とは逆側へ向けて延びる傾斜面と、前記傾斜面の内側端から内側へ延びる周形成面と、が形成され、
前記凹部は、前記便器本体の側面から内側へ延び前記傾斜面及び前記周形成面に対向する対向端面を有し、
前記対向端面の外側端から前記傾斜面へ向けて突出する突出部を有する大便器。
【発明の詳細な説明】
【技術分野】
【０００１】
本発明は、便器本体を備えた大便器に関する。
【背景技術】
【０００２】
従来から、便器本体を備えた大便器として、便器本体の側部に凹部が形成され、凹部を覆うカバーを備えたものが知られている（例えば特許文献１、２参照）。
この種の大便器において、便器本体が、例えば、陶器製である場合、製造誤差により寸法にばらつきが生じるため、カバーと便器本体との間に隙間を設けておく必要がある。しかし、寸法のばらつきの大きさによってはカバーと便器本体との間の隙間が大きくなり、掃除に手間がかかるとともに、見栄えが悪くなるという懸念がある。この問題を解決するために、便器本体の後方外側を向く傾斜面にカバーの前端部を当接させるように付勢し、便器本体の寸法のばらつきに応じて傾斜面に当接するカバーの前端部の位置を変化して取り付けるものが知られている(例えば、特許文献３参照)。
【先行技術文献】
【特許文献】
【０００３】
【特許文献１】特開２００２−２１３００７号公報
【特許文献２】特開２０１６−０６９９０５号公報
【特許文献３】特開２０１０−１８０６７３号公報
【発明の概要】
【発明が解決しようとする課題】
【０００４】
上述した大便器においては、寸法のばらつきによっては、便器本体の傾斜面に当接させるためにカバーが強く付勢され、カバーに大きな負荷が生じる可能性がある。そのため、使用時や施工時において、カバーに破損が生じてしまう懸念がある。
【０００５】
本発明は、上述した問題を解決するためになされたものであり、寸法のばらつきがあっても、カバーと便器本体との間に生じる隙間を目立ちにくくするとともに、カバーの破損の発生を抑制することが可能な大便器を提供することを目的とする。
【課題を解決するための手段】
【０００６】
本発明は、便器本体と、前記便器本体の側部に形成される凹部と、前記凹部を覆うカバーと、を備え、前記凹部には、前記便器本体の側面から前記便器本体の内側且つ前記凹部の中心側へ向けて延びる傾斜面と、前記傾斜面の内側端から内側へ延びる周形成面と、が形成され、前記カバーは、前記カバーの内側面と前記カバーの外側面との間をつなぎ前記傾斜面及び前記周形成面に対向する対向端面を有し、前記対向端面の外側端から前記傾斜面へ向けて突出する突出部を有する大便器である。
【０００７】
このように構成された本発明においては、カバーは、カバーの内側面とカバーの外側面との間をつなぎ傾斜面及び周形成面に対向する対向端面を有し、対向端面の外側端から傾斜面へ向けて突出する突出部を有するため、寸法のばらつきがあったとしても、カバーと便器本体との間に生じる隙間を突出部によって小さく見えるようにすることができる。また、カバーを大きく変形させる必要がなく、カバーの破損の発生を抑制することができる。
【０００８】
本発明は、さらに、前記傾斜面は曲面であり、前記突出部は、前記傾斜面が延びる方向に沿う方向の断面が、前記傾斜面に沿う曲面を形成してもよい。
【０００９】
このように構成された本発明においては、傾斜面は曲面であり、突出部は、傾斜面が延びる方向に沿う方向の断面が、傾斜面に沿う曲面を形成するため、さらに、カバーと便器本体との間に生じる隙間を小さく見えるようにすることができる。
【００１０】
本発明は、さらに、前記対向端面は、前記対向端面の前記突出部より内側の面にて前記周形成面と当接し、前記突出部は前記傾斜面との間に隙間を形成してもよい。
【００１１】
このように構成された本発明においては、対向端面は、対向端面の突出部より内側の面にて周形成面と当接し、突出部は傾斜面との間に隙間を形成するため、より確実に、カバーと便器本体との間に生じる隙間を目立ちにくくすることができる。
【００１２】
また、本発明は、便器本体と、前記便器本体の側部に形成される凹部と、前記凹部を覆うカバーと、を備え、前記カバーには、前記カバーの外側面から前記カバーの内側且つ前記カバーの中心側とは逆側へ向けて延びる傾斜面と、前記傾斜面の内側端から内側へ延びる周形成面と、が形成され、前記凹部は、前記便器本体の側面から内側へ延び前記傾斜面及び前記周形成面に対向する対向端面を有し、前記対向端面の外側端から前記傾斜面へ向けて突出する突出部を有する大便器である。
【００１３】
このように構成された本発明においては、凹部は、便器本体の側面から内側へ延び傾斜面及び周形成面に対向する対向端面を有し、対向端面の外側端から傾斜面へ向けて突出する突出部を有するため、寸法のばらつきがあっても、カバーと便器本体との間に生じる隙間を突出部によって小さく見えるようにすることができる。また、カバーを大きく変形させる必要がなく、カバーの破損の発生を抑制することができる。
【発明の効果】
【００１４】
本発明の大便器によれば、寸法のばらつきがあっても、カバーと便器本体との間に生じる隙間を目立ちにくくするとともに、カバーの破損の発生を抑制することが可能となる。
【図面の簡単な説明】
【００１５】
【図１】本発明の第１実施形態に係る大便器を示す左側面図。
【図２】本発明の第１実施形態に係る大便器のカバー、機能部カバー及び便蓋を外した状態を示す斜視図。
【図３】本発明の第１実施形態に係る大便器の便器本体後部及びカバーを示す図１の領域IIIの位置における拡大部分水平断面図。
【図４】本発明の第２実施形態に係る大便器の便器本体後部及びカバーを示す、第１実施形態の図１の領域ＩＩＩと同様位置における拡大部分水平断面図。
【発明を実施するための形態】
【００１６】
以下、図面を参照して本発明の第１実施形態による大便器について説明する。
まず、図１及び図２により本発明の第１実施形態に係る大便器の構成について説明する。図１は本発明の第１実施形態に係る大便器を示す左側面図であり、図２は本発明の第１実施形態に係る大便器のカバー、機能部カバー及び便蓋を外した状態を示す斜視図である。
図１及び図２に示すように、本発明の第１実施形態に係る大便器１０は、床面Ｆに載置される陶器製の便器本体２０と、便器本体２０の後方側部を覆う樹脂製のカバー４０とを備えている。
【００１７】
便器本体２０は、ボウル形状の汚物受け面２２と、この汚物受け面２２の全周の上方外側に形成されたリム部２４と、このリム部２４から下方へと床面Ｆまで延びて汚物受け面２２の周囲に形成されたスカート部２６とを有している。さらに、便器本体２０の後方の左右両側の側部（スカート部２６の左右両側面の後部）には、便器本体２０の内側へ向けて凹む凹部２８が形成されている。
【００１８】
左側の凹部２８は後側、上側が開放されており、前側、下側は便器本体２０と連続している。なお、右側の凹部２８についても、同様であり、後側、上側が開放されており、前側、下側は便器本体２０と連続している。
【００１９】
また、便器本体２０の後側上部には、機能部６０が設けられている。
機能部６０は、汚物受け面２２を洗浄するために洗浄水を供給する洗浄装置や、使用者の局部を洗浄する局部洗浄装置等を含む。また、機能部６０は、機能部カバー６２により覆われるとともに、その上部には便座（図示せず）及び便蓋６４が回動可能に軸支されている。さらに、機能部６０には下方に向けて突出するフック状の係止部（図示せず）が設けられている。
【００２０】
次に、図３により本発明の第１実施形態に係る大便器の便器本体の後部及びカバーの構成について説明する。図３は本発明の第１実施形態に係る大便器の便器本体後部及びカバーを示す図１の領域ＩＩＩの位置における拡大部分水平断面図である。なお、以下、便器本体２０の左側の凹部２８及び左側のカバー４０について説明するが、右側の凹部及び右側のカバーも同様に構成されている。
【００２１】
図３に示すように、便器本体２０の左側の凹部２８には、便器本体２０の左側面（スカート部２６の左側面）から便器本体２０の内側（右側）且つ凹部２８の中心側（後側）へ向けて延びる傾斜面２８ａと、傾斜面２８ａの内側端から便器本体２０の内側（右側）へ延びる周形成面２８ｂとが形成されている。傾斜面２８ａは、便器本体２０の外側に対して凸である曲面として形成されている。
【００２２】
図３に示すように、左側のカバー４０は、カバー４０の便器本体２０の内側（右側）の面である内側面４２と、内側面４２の逆側（左側）の面であるカバー４０の外側面４４とを有する。また、カバー４０の内側面４２と外側面４４との間をつなぎ、カバー４０が便器本体２０に固定された状態にて、傾斜面２８ａ及び周形成面２８ｂに対向する対向端面４６を有する。
【００２３】
左側のカバー４０の内側面４２には、上方に向けて突出するフック状の係止受部（図示せず）が設けられている。この係止受部（図示せず）が、機能部６０の係止部（図示せず）と係合することで、カバー４０は便器本体２０に対して着脱可能に固定される。なお、本発明においては、カバー４０を便器本体２０に対して着脱可能に固定する方法は機能部６０に設けた係止部（図示せず）に限られるものではなく、例えば、接着テープや面ファスナーを機能部やカバー内側面、便器本体等に設けることで互いを係止する構成としてもよい。
【００２４】
また、左側のカバー４０の外側面４４は、スカート部２６の左側面を真っ直ぐ後方へ仮想的に延ばした仮想面と連続するように形成されている。
【００２５】
対向端面４６は、対向端面４６の外側端（左側端）から傾斜面２８ａへ向けて突出する突出部４６ａを有する。突出部４６ａはカバー４０の対向端面４６の上端から下端に亘って設けられ、水平断面において傾斜面２８ａに沿うようにカバー４０の内側に向けて凹む曲面を形成する。
また、対向端面４６は、対向端面４６の突出部４６ａより内側（右側）の面にて周形成面２８ｂと当接し、突出部４６ａは傾斜面２８ａとの間に隙間を形成する。
【００２６】
上述した本発明の第１実施形態による大便器１０によれば、カバー４０が、カバー４０の内側面４２とカバー４０の外側面４４との間をつなぎ傾斜面２８ａ及び周形成面２８ｂに対向する対向端面４６を有し、対向端面４６の外側端から傾斜面２８ａへ向けて突出する突出部４６ａを有する。そのため、便器本体２０に寸法のばらつきがあったとしても、カバー４０と便器本体２０との間に生じる隙間を突出部４６ａによって小さく見えるようにすることができる。また、カバー４０と便器本体２０との間に生じる隙間を小さく見えるようにするためにカバー４０を大きく変形させる必要がなく、カバー４０の破損の発生を抑制することができる。
【００２７】
さらに、上述した本発明の第１実施形態による大便器１０によれば、傾斜面２８ａは曲面であり、突出部４６ａは、傾斜面２８ａが延びる方向に沿う方向の断面が、傾斜面２８ａに沿う曲面を形成するため、カバー４０と便器本体２０との間に生じる隙間をより小さく見えるようにすることができる。
【００２８】
また、上述した本発明の第１実施形態による大便器１０によれば、対向端面４６は、対向端面４６の突出部４６ａより内側の面にて周形成面２８ｂと当接し、突出部４６ａは傾斜面２８ａとの間に隙間を形成するため、より確実に、カバー４０と便器本体２０との間に生じる隙間を目立ちにくくすることができる。
【００２９】
次に、本発明の第２実施形態を図４により説明する。図４は本発明の第２実施形態に係る大便器の便器本体後部及びカバーを示す、第１実施形態の図１の領域ＩＩＩと同様位置における拡大部分水平断面図である。第２実施形態に関し、上述した第１実施形態と同一部分の説明は省略する。
【００３０】
図４に示すように、左側のカバー２４０には、カバー２４０の外側面（左側面）から内側（右側）且つカバー２４０の中心側とは逆側（前側）へ向けて延びる傾斜面２４０ａと、傾斜面２４０ａの内側端から内側（左側）へ延びる周形成面２４０ｂとが形成されている。
また、凹部２２８は、便器本体２２０の側面から内側（左側）へ延び傾斜面２４０ａ及び周形成面２４０ｂに対向する対向端面２３０を有する。
【００３１】
対向端面２３０は、対向端面２３０の外側端（左側端）から傾斜面２４０ａへ向けて突出する突出部２３０ａを有する。突出部２３０ａは凹部２２８の対向端面２３０の上端から下端に亘って設けられ、水平断面において傾斜面２４０ａに沿うように凹部２２８の内側に向けて凹となる曲面を形成する。
また、対向端面２３０は、カバー２４０が便器本体２２０に固定された状態にて、対向端面２３０の突出部２３０ａより内側の面にて周形成面２４０ｂと当接し、突出部２３０ａは傾斜面２４０ａとの間に隙間を形成する。
【００３２】
上述した本発明の第２実施形態によれば、第１実施形態による大便器１０と同様に、凹部２２８が、カバー２４０の傾斜面２４０ａ及び周形成面２４０ｂに対向する対向端面２３０を有し、対向端面２３０の外側端から傾斜面２４０ａへ向けて突出する突出部２３０ａを有する。そのため、便器本体２２０に寸法のばらつきがあったとしても、カバー２４０と便器本体２２０との間に生じる隙間を突出部２３０ａによって小さく見えるようにすることができる。また、カバー２４０と便器本体２２０との間に生じる隙間を小さく見えるようにするためにカバー２４０を大きく変形させる必要がなく、カバー２４０の破損の発生を抑制することができる。
【００３３】
さらに、上述した本発明の第２実施形態によれば、第１実施形態による大便器１０と同様に、傾斜面２４０ａは曲面であり、突出部２３０ａは、傾斜面２４０ａが延びる方向に沿う方向の断面が、傾斜面２４０ａに沿う曲面を形成するため、カバー２４０と便器本体２２０との間に生じる隙間をより小さく見えるようにすることができる。
【００３４】
また、上述した本発明の第２実施形態によれば、第１実施形態による大便器１０と同様に、対向端面２３０は、対向端面２３０の突出部２３０ａより内側の面にて周形成面２４０ｂと当接し、突出部２３０ａは傾斜面２４０ａとの間に隙間を形成するため、より確実に、カバー２４０と便器本体２２０との間に生じる隙間を目立ちにくくすることができる。
【００３５】
上述した本発明の第１実施形態及び第２実施形態においては、凹部２８、２２８は、便器本体２０、２２０の後方の左右両側の側部に形成されるが、凹部の位置について本発明はこのような形態に限定されるものではなく、例えば、凹部が左右両側のどちらか一方に形成されてもよく、後方でなく前方に形成されてもよい。
また、上述した本発明の第１実施形態及び第２実施形態においては、凹部２８、２２８は、後側、上側が開放されており、前側、下側は便器本体２０、２２０と連続しているが、凹部の形状について本発明はこのような形態に限定されるものではなく、例えば、後側及び／又は上側、並びに、前側、下側が便器本体と連続してもよい。
【００３６】
さらに、上述した本発明の第１実施形態及び第２実施形態においては、傾斜面２８ａ、２４０ａは、外側に対して凸な曲面として形成されているが、本発明はこのような形態に限定されるものではなく、例えば、水平断面において直線状に延びる平坦面として形成してもよい。
また、上述した本発明の第１実施形態においては、傾斜面２８ａは凹部２８の前端に形成されるが、本発明はこのような形態に限定されるものではなく、凹部のいずれの端部に形成されてもよい。同様に、上述した本発明の第２実施形態においては、傾斜面２４０ａはカバー２４０の前端に形成されるが、本発明はこのような形態に限定されるものではなく、カバー２４０のいずれの端部に形成されてもよい。
【００３７】
また、上述した本発明の第１実施形態及び第２実施形態においては、突出部４６ａ、２３０ａは、曲面として形成されるが、本発明はこのような形態に限定されるものではなく、例えば、水平断面において直線状に延びる平坦面として形成してもよい。
【符号の説明】
【００３８】
１０      大便器
２０      便器本体
２２      汚物受け面
２４      リム部
２６      スカート部
２８      凹部
２８ａ    傾斜面
２８ｂ    周形成面
４０      カバー
４２      内側面
４４      外側面
４６      対向端面
４６ａ    突出部
６０      機能部
６２      機能部カバー
６４      便蓋
２２０    便器本体
２２８    凹部
２３０    対向端面
２３０ａ  突出部
２４０    カバー
２４０ａ  傾斜面
２４０ｂ  周形成面
Ｆ        床面
【図１】
2018053548.tif 000003
【図２】
2018053548.tif 000004
【図３】
2018053548.tif 000005
【図４】
2018053548.tif 000006